(57)【要約】  前方部（１０１）を備えた引出し（１００）用のレール（１）であって、レールストラット（２）と、レール（１）を前方部（１０１）に固定するための、レールストラット（２）の端部（４）におけるパネル固定装置（３）と、を含んでおり、パネル固定装置（３）は、レールストラット（２）に少なくとも部分的に設置されており、パネル固定装置（３）は、パネル固定装置（３）を、その長さが変化しないレールストラット（２）に対して少なくとも二つの異なる位置（５、６）にて固定させる位置決め装置（１０）を有していることを特徴する。
2015523122.tif 000002
【特許請求の範囲】
【請求項１】
前方部（１０１）を備えた引出し（１００）用のレール（１）であって、
レールストラット（２）と、
前記レール（１）を前記前方部（１０１）に固定するための、前記レールストラット（２）の端部（４）におけるパネル固定装置（３）と、を含んでおり、前記パネル固定装置（３）は、前記レールストラット（２）に少なくとも部分的に設置されており、
前記パネル固定装置（３）は、該パネル固定装置（３）を、その長さが変化しない前記レールストラット（２）に対して少なくとも二つの異なる位置（５、６）にて固定させる位置決め装置（１０）を有していることを特徴するレール。
【請求項２】
前記少なくとも二つの異なる位置（５、６）は、互いに前記レール（１）の縦方向において離れていることを特徴とする請求項１記載のレール（１）。
【請求項３】
前記レールストラット（２）が、前記少なくとも二つの異なる位置（５、６）にてそれぞれ凹部（７、８）を有しており、前記パネル固定装置（３）は、前記凹部（７、８）のいずれか一方に選択的に固定できることを特徴とする請求項１または２記載のレール。
【請求項４】
前記パネル固定装置（３）は、好適には合わせ釘状のスリーブの形態である、固定要素（２５）を、前記レール（１）を前記引出し（１００）の前記前方部（１０１）に固定させるために有しており、
前記パネル固定装置（３）の前記固定要素（２５）は、
前記少なくとも二つの異なる位置（５、６）の一方にて、前記レールストラット（２）の縦長を越えて突出しており、
前記少なくとも二つの異なる位置（５、６）の他方にて、実質的に完全に前記レールストラット（２）内に陥没していることを特徴とする請求項１から３のいずれかに記載のレール（１）。
【請求項５】
前記パネル固定装置（３）は、該パネル固定装置（３）を、好適にはスプレッダ接続によって、前記前方部（１０１）に固定して接続させるクランプ装置（２０）を有していることを特徴とする請求項１から４のいずれかに記載のレール。
【請求項６】
前記クランプ装置（２０）は、好適にはその端部（２１）で、前記位置決め装置（１０）の迫台（１１）に対して支持されていることを特徴とする請求項５記載のレール。
【請求項７】
前記位置決め装置（１０）は弾性ラッチ突出部（１２）を有しており、前記レールストラット（２）は前記弾性ラッチ突出部（１２）に対応する少なくとも二つの凹部（７、８）を有しており、
前記パネル固定装置（３）の前記少なくとも二つの異なる位置（５、６）は、前記レールストラット（２）内に固定されることを特徴とする請求項１から６のいずれかに記載のレール。
【請求項８】
前記レールストラット（２）内の前記凹部（７、８）は、前記レールストラット（２）のケーシング（９）内の開口部の形態であることを特徴とする請求項７記載のレール。
【請求項９】
前記パネル固定装置（３）は、前記位置決め装置（１０）内に前記クランプ装置（２０）をラッチ留めするためのラッチ装置（３０）を有していることを特徴とする請求項５から８のいずれかに記載のレール。
【請求項１０】
前記ラッチ装置（３０）は、前記クランプ装置（２０）の肢部（２２）に対応する少なくとも一つのバネ舌部（３１）を有していることを特徴とする請求項９記載のレール。
【請求項１１】
前記位置決め装置（１０）は、一体型に製造されていることを特徴とす
【請求項１２】
前記位置決め装置（１０）は、射出成型によって製造されていることを特徴とする請求項１から１１のいずれかに記載のレール（１）。
【請求項１３】
前記位置決め装置（１０）は、前記レールストラット（２）内に押し込むことができるスリーブ部材（２３）の形態であることを特徴とする請求項１から１２のいずれかに記載のレール。
【請求項１４】
請求項１から１３のいずれかに記載のレール（１）を少なくとも一つ有する引出し（１００）。
【請求項１５】
請求項１４記載の引出し（１００）を少なくとも一つと、家具枠体（１０２）とを有する家具（１１０）。
【発明の詳細な説明】
【技術分野】
【０００１】
本発明は、請求項１記載の分類部分の特徴を有する前方パネルを備えた引出し用のレールと、少なくとも一本のそのようなレールを有する引出しと、家具枠体および少なくとも一体のそのような引出しを含んだ家具とに関する。
【背景技術】
【０００２】
上述のような一般的なレールは、引出しの安定性を向上させるとともに、それらのレールは引出し内に配置された物品を引出しから脱落させないように作用している。
【０００３】
この点において、そのようなレールは、前方引出式の引出しの場合に利用されており、さらに内部引出式引出しの場合にも利用されている。
【発明の概要】
【発明が解決しようとする課題】
【０００４】
本発明の目的は、前方パネルを備えた引出し用の従来技術に勝るレールと、そのようなレールを有する引出しと、少なくとも一体のそのような引出しを有する家具とを提供することである。
【課題を解決するための手段】
【０００５】
この目的は請求項１記載の特徴を有するレールと、請求項１４記載のそのようなレールを有する引出しと、家具枠体およびそのような引出しを少なくとも一体有する家具とによって達成される。本発明の有利な実施態様は従属請求項に定義されている。
【０００６】
パネル固定装置が、パネル固定装置を、その長さが変化しないレールストラットに対して少なくとも二つの異なる位置にて固定することができる位置決め装置を有するという事実は、一本の同じレールを異なる長さの二つの引出しに利用できることを意味する。これは、まず、一般的に異なる構造長の内部引出式引出しと前方引出式引出しが利用されるときに特に有利であり、レールストラットに対するパネル固定装置の二つの異なる位置のために、一本の同じレールに両方のタイプの引出しを装着することが可能となる。これは、二つの異なる引出しのための二つの異なるレールストラットを製造する必要がないため、製造コストを節約する。
【０００７】
特許保護は、説明している実施態様のレールを少なくとも一本含んだ引出しにも請求される。
【０００８】
特に、特許保護は、家具枠体と説明している実施態様の引出しを少なくとも一つ有する家具にも請求される。
【０００９】
本発明のさらなる詳細と利点は、図面に図示された実施例に関連した詳細な説明によって以下でさらに詳説されている。
【図面の簡単な説明】
【００１０】
【図１】家具枠体と、その内部に配置された引出しとを含んだ家具の斜視図である。
【図２】前方引出式引出しの形態の引出しの斜視図である。
【図３】内部引出式引出しの形態の引出しの斜視図である。
【図４】レールに関する断面図を含んだ前方引出式引出しの形態の引出しの斜視図である。
【図５】図４の詳細図である。
【図６】レールに関する断面図を含んだ内部引出式引出しの形態の引出しの斜視図である。
【図７】図６の詳細図である。
【図８】レールの分解斜視図である。
【図９】図８の詳細図である。
【発明を実施するための形態】
【００１１】
図１は、家具１１０の斜視図である。家具１１０は、この場合には、家具枠体１０２と複数の引出し１００とを有している。引出し１００は前方部１０１を有している。この点において、前方部１０１は引出し１００の壁部であり、さらに詳細には、家具１１０とその引出し１００のユーザ側に対応した壁部である。この実施例では、前方部１０１は前方パネル１０７の形態であり、すなわち引出し１００は前方引出式引出しの形態である。対応するレール１は、側壁１０３と１０４の上方に配置されている。
【００１２】
図２は、前方引出式引出しの形態である引出し１００を示している。この引出し１００は、前方パネル１０７の形態の前方部１０１を有しており、それと反対側は後壁１０５である。引出し１００の左右には、側壁１０３と１０４とが配置されており、それらの上方には後壁１０５から前方部１０１に到達するそれぞれのレール１が配置されている。引出し底部１０６は、引出し１００の下側に配置されている。
【００１３】
レール１は、この点において、引出し１００の安定性を向上させ、引出し１００内に収納されている物品が引出し１００から落下しないようにしている。
【００１４】
図３は、図２の引出し１００と類似する形態である引出し１００の斜視図である。図３の引出し１００における唯一の違いは、それが内部引出式引出しであり、すなわちその前方部１０１は前方壁部１０８の形態であり、引出し１００が閉じた状態では、家具の内部に完全に配置されることである。通常、その場合、引出し１００は閉じた状態では、別な引出しの別な前方パネル（または扉）によって隠される。
【００１５】
この結果、内部引出式引出しの形態、または前方引出式引出しの形態のいずれかである引出し１００のために、レール１に関して異なる全体長が存在する。しかしながら、図２および図３のこれら二つの引出し１００の場合には、レールストラット２はそれぞれ同じ長さである（この点における解説に関しては図４と図７を参照）。
【００１６】
図４と図５は、前方引出式引出しの形態、すなわち前方部１０１が前方パネル１０７の形態である引出し１００のレール１の斜視図である。この場合には、前方パネル１０７は通常は木製であり、レール１のパネル固定装置３は、この構造では（組み立てが実行された後）ダウエルで（合わせ釘で接合するので）前方部１０１内に突出する。さらに、パネル固定装置３は、レールストラット（レール支柱）２内に部分的に挿入される。さらに、パネル固定装置３は位置決め装置１０を有しており、それによって、その長さが変化しないレールストラット（レール支柱）２に対して少なくとも二つの異なる位置５と６にて固定されることができる。この結果、レール１の有効な全体長は、位置５にて固定された時に、パネル固定装置３がレールストラット２を越えて突出することによって変化できるが、位置決め装置１０が位置６にて固定されると、パネル固定装置３はレールストラット２を越えて突出せず、それによってレール１の有効な全体長は短縮される。よって、一本の同じレール１を、図４と図５に示す前方引出式引出しに対しても、図６と図７に示す内部引出式引出しに対しても利用できる。
【００１７】
この場合には、それら少なくとも二つの異なる位置５と６は互いにレール１の縦方向において離れている。
【００１８】
図５と６ではさらに、レールストラット１が、少なくとも二つの異なる位置５と６にてそれぞれの凹部７と８を有しており、パネル固定装置３は、凹部７、８にて選択的に固定できることが明示されている。
【００１９】
さらに、図５と図７では、パネル固定装置３は（好適には合わせ釘状のスリーブ（dowel sleeve）の形態である）固定要素２５をレール１の引出し１００の前方部１０１への固定のために有しており、パネル固定装置３の固定要素２５は、それら少なくとも二つの異なる位置５と６の一方にて、レールストラット２の縦長を越えて突出しており（図５参照）、それら少なくとも二つの異なる位置５と６の他方にて、実質的に完全にレールストラット２内に陥没している（図７参照）。
【００２０】
さらに、この実施例ではパネル固定装置３は、この好適実施例では、パネル固定装置３を、スプレッダ接続（伸縮して長さ調節可能な接続：「spreader connection」）によって前方部１０１に固定式に接続させるクランプ装置２０を有している。
【００２１】
この点において、この好適実施例では、クランプ装置２０はその端部２１で位置決め装置１０の迫台１１に対して支持されている。
【００２２】
位置決め装置１０は、レールストラット２の二つの凹部７、８に対応できる弾性ラッチ突出部（弾性を有する外れ止め突出部）１２を有しており、それによってレールストラット２内におけるパネル固定装置３の相対的な位置を確立することが可能である。したがって、このようにして、レールストラット内におけるパネル固定装置３のその少なくとも二つの異なる位置５と６は、位置決め装置１０の弾性ラッチ突出部１２によって固定される。
【００２３】
さらにこの実施例では、パネル固定装置３は、位置決め装置１０内のクランプ装置２０をラッチ留めするためのラッチ装置３０を有している。この目的のため、ラッチ装置３０は、クランプ装置２０の肢部２２に対応するバネ舌部３１を有している。
【００２４】
この好適実施例では、位置決め装置１０は一体型で、射出成型によって製造されている。さらに、位置決め装置１０はスリーブ部材１３の形態であり、レールストラット２内へ完全に押し込まれることができ、レール１の美観的な魅力に貢献する（図９参照）。
【００２５】
図６と図７は、前方引出式引出しの形態ではなく、内部引出式引出しの形態である引出し１００の斜視図である。したがって、引出し１００は前方パネルを有していないが、前方部１０１として前壁部１０８または前方レール１０８を有している。通常の場合には、家具において、別な引出しの別な前方パネルが引出し１００の前方に配置されているため、または扉を引出し１００の前方で閉じることもできるため、内部引出式引出しの場合には引出し１００の全長は、前方引出式引出しの場合よりも短い。前方引出式および内部引出式の両方に同じレール１を利用できるようにするため、パネル固定装置３は、レールストラット２内の異なる位置に配置されるように設計されているので、レール１の全長は、この場合にはレールストラット２自体の長さを変化させなくても変化させることができる。
【００２６】
この内部引出式の実施例の場合には、位置決め装置１０はレールストラット２のさらに内側の位置６に配置されており、このことによってパネル固定装置３はレールストラット２を越えては突出せず、従って、レール１の前方部１０１への固定はレールストラット２内で実行でき、よってレール１の全長は、図４と図５の実施例と比べて減少されている。
【００２７】
上記以外は、図６と図７との関連では、図４と図５との関連で説明した全ての内容がここでも当てはまる。
【００２８】
図８と図９は、レール１の斜視分解図を示している。
【００２９】
この点において、固定装置３の位置決め装置１０は、レール１のレールストラット２内に押し込み可能なスリーブ部材１３の形態であることが明示されている。位置決め装置１０がレールストラット２内に押し込まれると、それは二つの異なる位置５と６にて固定でき、この点において、その二つの異なる位置５と６はレールストラット２内の凹部７と８の形態であることも明示されている。これらの凹部７と８はレールストラット２のケーシング９内の開口部の形態であり、外部から操作できる。
【００３０】
位置決め装置１０の弾性ラッチ突出部１２に適用される圧力によって、それは凹部７と８から解放されるため、パネル固定装置３全体がレールストラット２内で移動できる。パネル固定装置３の位置決め装置１０はその後に凹部７と８の一方に再びラッチ留めできる。
【００３１】
クランプ装置２０は、それにダウエルコア２６がスピンドルとして機能するピン２４によって取り付けられる取り付け要素２３を有している。ダウエルコア２６は、ここでは好適にはダウエルスリーブ（合わせ釘状のスリーブ：「dowel sleeve」）の形態である固定要素２５内に提供されている。固定要素２５とダウエルコア２６が取り付け要素２３内のピン２４周囲を旋回するとき、ダウエルコア２６が取り付け要素２３に対して引っ張られることで、固定要素２５がダウエルコア２６によって広げられ、よってパネル固定装置３は前方パネルの孔部（ここでは図示せず）内で広がることができる。
【００３２】
固定要素２５の前方部での固定は、その他の任意の想定可能な形態でも実行でき、この点における唯一の重要な点は、この構造が前方部におけるレールに良好な保持力を提供することである。
【００３３】
さらにレール１は、レールストラット２上方で装着される迫台１５も有しており、それは（前方パネル１０７または前壁部１０８に対して）前方部１０１のための迫台として機能する。
【００３４】
この図では、位置決め装置１０は、レールストラット２内に押し込み可能なスリーブ部材１３の形態であることが明示されている。さらに、位置決め装置１０は、その肢部２２が位置決め装置１０内でクランプ装置２０をラッチ留めする取り付け要素２３をその内部に部分的に収容している。
【００３５】
レールストラット２が、その内部にパネル固定装置３がラッチ留め可能な二つの位置５と６以外の位置を有することで、異なる長さの複数の引出しに同じレール１を装着できることも当然に想定できる。
【図１】
2015523122.tif 000003
【図２】
2015523122.tif 000004
【図３】
2015523122.tif 000005
【図４】
2015523122.tif 000006
【図５】
2015523122.tif 000007
【図６】
2015523122.tif 000008
【図７】
2015523122.tif 000009
【図８】
2015523122.tif 000010
【図９】
2015523122.tif 000011
【国際調査報告】
2015523122.tif 000012
2015523122.tif 000013
2015523122.tif 000014
2015523122.tif 000015
2015523122.tif 000016
2015523122.tif 000017